【手続補正書】
【提出日】平成16年6月29日(2004.6.29)
【手続補正１】
【補正対象書類名】明細書
【補正対象項目名】発明の名称
【補正方法】変更
【補正の内容】
【発明の名称】接合方法
【手続補正２】
【補正対象書類名】明細書
【補正対象項目名】特許請求の範囲
【補正方法】変更
【補正の内容】
【特許請求の範囲】
【請求項１】
ガラス管内に、このガラス管から一端側が突出するように金属棒が挿入され、ガラス管の金属棒の突出部位に金属棒を取り囲むように不透明なガラスもしくはセラミックによって形成された封止材が配設された被接合物を所定位置に配置し、
レーザー光を前記封止材及び金属棒の所定部位に集光されるように照射し、レーザー光の照射によって溶融した封止材が、加熱された金属棒とガラス管との間の隙間に流入して隙間を充填することにより、ガラス管と金属棒との間を接合することを特徴とする接合方法。
【請求項２】
ガラス管内に、このガラス管から一端側が突出するように金属棒が挿入され、ガラス管の金属棒の突出部位に金属棒を取り囲むように不透明なガラスもしくはセラミックによって形成された封止材が配設された被接合物を所定位置に配置し、
第１のレーザー光を封止材及び金属棒の所定部位に集光されるように照射すると共に、第２のレーザー光をガラス管の所定部位に集光されるように照射し、
前記第１のレーザー光の照射によって溶融した封止材が、第１のレーザー光によって加熱された金属棒と第２のレーザー光によって加熱されたガラス管との間の隙間に流入して隙間を充填することにより、ガラス管と金属棒との間を接合することを特徴とする接合方法。
【請求項３】
ガラス管内に金属棒が挿入されてなる被接合物の接合部位を、高融点材料によって形成されて所定位置に多数の開口部が形成されてなる筒状体内に収容して所定位置に配置し、
レーザー光を前記筒状体に照射して加熱すると共に、筒状体の開口部を通過したレーザー光によって金属棒を加熱し、筒状体の加熱による間接加熱と金属棒の加熱による直接加熱とによってガラス管の所定部位を軟化させ、
筒状体から被接合物を引き出して軟化したガラス管の所定部位を両側から加圧し、加熱された金属棒に軟化したガラス管を接着させることにより、ガラス管と金属棒との間を接合することを特徴とする接合方法。
【請求項４】
透明なガラス管内に金属棒が挿入されてなる被接合物の接合部位に対し、
第１のレーザー光を金属棒の接合部位に集光されるように照射すると共に、第２のレーザー光をガラス管の接合部位に集光されるように照射し、
第２のレーザー光の照射によって溶融したガラス管の接合部位が、第１のレーザー光の照射によって加熱された金属棒に接着することにより、ガラス管と金属棒との間を接合することを特徴とする接合方法。
【請求項５】
透明なガラス管内に金属棒が挿入されてなる被接合物の接合部位を、高融点材料によって形成され、所定位置に多数の開口部を形成すると共に、一方向面に開放部を設けて形成されてなる筒状体内に収容し、ガラス管内から真空引きした状態にして所定位置に配置し、
第１のレーザー光を前記筒状体に照射して加熱すると共に、筒状体の開口部を通過したレーザー光によって金属棒を加熱し、第２のレーザー光を筒状体の開放部を通してガラス管の接合部位に照射して加熱し、前記筒状体の加熱による間接加熱と第２のレーザー光の照射による直接加熱とによってガラス管の接合部位を溶融させ、
溶融したガラス管の接合部位が真空引きによって収縮することにより、加熱された金属棒に溶融したガラス管が接着してガラス管と金属棒との間が接合されるようにしたことを特徴とする接合方法。
【請求項６】
金属棒及び筒状体に対する吸収性の高い波長を有するレーザー光が、複数のレーザーダイオードを並列配置したＬＤアレイを複数層に積層配置して構成されたレーザー光発生源から出力され、このレーザー光を平行光に変換すると共に、照射位置における集光サイズ及び縦横比を調整する集光光学系によって集光し、接合部位の形状サイズに対応する長方形状にして照射されるようにした請求項１〜５いずれか一項に記載の接合方法。
【手続補正３】
【補正対象書類名】明細書
【補正対象項目名】０００１
【補正方法】変更
【補正の内容】
【０００１】
【発明の属する技術分野】
本発明は、セラミックを含むガラスと金属との間をレーザー光照射によって接合する接合方法に関するもので、特に、ガラス管内に配設された電極から引き出された金属リードをガラス管からの引き出し位置でガラス管に接合することによりガラス管内を気密封止する照明ランプの製造工程に適した接合方法に関するものである。
【手続補正４】
【補正対象書類名】明細書
【補正対象項目名】０００７
【補正方法】変更
【補正の内容】
【０００７】
本発明は上記従来の接合方法の課題を解決すべく創案されたもので、接合部材間の濡れ性をよくして安定した接合状態が得られるようにした接合方法を提供することを目的とする。
【手続補正５】
【補正対象書類名】明細書
【補正対象項目名】０００８
【補正方法】変更
【補正の内容】
【０００８】
【課題を解決するための手段】
上記目的を達成するための本願の第１発明に係る接合方法は、ガラス管内に、このガラス管から一端側が突出するように金属棒が挿入され、ガラス管の金属棒の突出部位に金属棒を取り囲むように不透明なガラスもしくはセラミックによって形成された封止材が配設された被接合物を所定位置に配置し、レーザー光を封止材及び金属棒の所定部位に集光されるように照射し、このレーザー光の照射によって溶融した封止材が、加熱された金属棒とガラス管との間の隙間に流入して隙間を充填することにより、ガラス管と金属棒との間を接合することを特徴とする。
【手続補正６】
【補正対象書類名】明細書
【補正対象項目名】００１０
【補正方法】変更
【補正の内容】
【００１０】
また、本願の第２発明に係る接合方法は、ガラス管内に、このガラス管から一端側が突出するように金属棒が挿入され、ガラス管の金属棒の突出部位に金属棒を取り囲むように不透明なガラスもしくはセラミックによって形成された封止材が配設された被接合物を所定位置に配置し、第１のレーザー光を封止材及び金属棒の所定部位に集光されるように照射すると共に、ガラス管に対する吸収性が高い波長を有する第２のレーザー光をガラス管の所定部位に集光されるように照射し、前記第１のレーザー光の照射によって溶融した封止材が、第１のレーザー光によって加熱された金属棒と第２のレーザー光によって加熱されたガラス管との間の隙間に流入して隙間を充填することにより、ガラス管と金属棒との間を接合することを特徴とする。
【手続補正７】
【補正対象書類名】明細書
【補正対象項目名】００１２
【補正方法】変更
【補正の内容】
【００１２】
また、本願の第３発明に係る接合方法は、ガラス管内に金属棒が挿入されてなる被接合物の接合部位を、高融点材料によって形成されて所定位置に多数の開口部が形成されてなる筒状体内に収容して所定位置に配置し、レーザー光を前記筒状体に照射して加熱すると共に、筒状体の開口部を通過したレーザー光によって金属棒を加熱し、筒状体の加熱による間接加熱と金属棒の加熱による直接加熱とによってガラス管の所定部位を軟化させ、筒状体から被接合物を引き出して軟化したガラス管の所定部位を両側から加圧し、加熱された金属棒に軟化したガラス管を接着させることにより、ガラス管と金属棒との間を接合することを特徴とする。
【手続補正８】
【補正対象書類名】明細書
【補正対象項目名】００１４
【補正方法】変更
【補正の内容】
【００１４】
また、本願の第４発明に係る接合方法は、ガラス管内に金属棒が挿入されてなる被接合物の接合部位に対し、第１のレーザー光を金属棒の接合部位に照射して加熱すると共に、第２のレーザー光をガラス管の接合部位に照射して加熱し、溶融したガラス管の接合部位が加熱された金属棒に接着することにより、ガラス管と金属棒との間を接合することを特徴とする。
【手続補正９】
【補正対象書類名】明細書
【補正対象項目名】００１６
【補正方法】変更
【補正の内容】
【００１６】
また、本願の第５発明に係る接合方法は、ガラス管内に金属棒が挿入されてなる被接合物の接合部位を、高融点材料によって形成され、所定位置に多数の開口部を形成すると共に、一方向面に開放部を設けて形成されてなる筒状体内に収容し、ガラス管内から真空引きした状態にして所定位置に配置し、レーザー光を前記筒状体に照射して加熱すると共に、筒状体の開口部を通過したレーザー光によって金属棒を加熱し、第２のレーザー光を筒状体の開放部を通してガラス管の接合部位に照射して加熱し、前記筒状体の加熱による間接加熱と第２のレーザー光の照射による直接加熱とによってガラス管の接合部位を溶融させ、溶融したガラス管の接合部位が真空引きによって収縮することにより、加熱された金属棒に溶融したガラス管が接着してガラス管と金属棒との間が接合されるようにしたことを特徴とする。
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】変更
【補正の内容】
【００２５】
また、金属棒及び筒状体に対する吸収性の高い波長を有するレーザー光が、複数のレーザーダイオードを並列配置したＬＤアレイを複数層に積層配置して構成されたレーザー光発生源から出力され、このレーザー光を平行光に変換すると共に、照射位置における集光サイズ及び縦横比を調整する集光光学系によって集光し、接合部位の形状サイズに対応する長方形状にして照射されるようにすることができる。レーザー光発生源からは長方形状にレーザー光が出射されるので、これを集光光学系により接合部位に対応する形状サイズに集光すると、加熱を必要とする部位に精度よくレーザー光を集光させることができる。また、ＬＤアレイによるレーザー光発生源は電気変換効率よくレーザー光を出力するので、省エネルギーによるレーザー照射を行うことができる。
【手続補正１８】
【補正対象書類名】明細書
【補正対象項目名】００２６
【補正方法】削除
【補正の内容】